(57)【要約】【課題】硬貨入出金装置の想定使用者によってリジェクト硬貨の戻し先の適否が異なることに対応する。【解決手段】硬貨入出金装置は、搬送路と、判別部と、リジェクト部と、返却先、戻し搬送路と、戻し駆動部と、払出先と、切替部と、を備える。搬送路は、入金され収納部へ送られる硬貨の通路である。判別部は、搬送路に設けられて硬貨の正否または金種を判別する。リジェクト部は、判別部の判別に応じて選択的に硬貨を搬送路から除く。返却先は、リジェクト部が除いた硬貨が戻される先である。戻し搬送路は、搬送路における判別部の下流側で分岐して返却先に通じる。戻し駆動部は、戻し搬送路の硬貨を返却先へ送る。払出先は、搬送路を経由して収納部に収納された硬貨が払い出される先である。切替部は、戻し搬送路に着脱自在に設けられ、戻し駆動部により送られる硬貨の移動方向を変更し該硬貨を払出先へ導く。【選択図】図５
2014174561.tif 000002
【特許請求の範囲】
【請求項１】
入金され収納部へ送られる硬貨の通路である搬送路と、
前記搬送路に設けられて硬貨の正否または金種を判別する判別部と、
前記判別部の判別に応じて選択的に硬貨を前記搬送路から除くリジェクト部と、
前記リジェクト部が除いた硬貨が戻される先である返却先と、
前記搬送路における前記判別部の下流側で分岐して前記返却先に通じる戻し搬送路と、
前記戻し搬送路の硬貨を前記返却先へ送る戻し駆動部と、
前記搬送路を経由して前記収納部に収納された硬貨が払い出される先である払出先と、
前記戻し搬送路に着脱自在に設けられ、前記戻し駆動部により送られる硬貨の移動方向を変更し該硬貨を前記払出先へ導く切替部と、
を備える硬貨入出金装置。
【請求項２】
前記切替部は、硬貨が突き当たる面であって前記戻し駆動部により送られる硬貨の移動方向を前記払出先へと向かって曲げるガイド面と、前記ガイド面によって移動方向を曲げられた硬貨を前記ガイド面の下流側で前記戻し搬送路を外れる位置から前記払出先まで導く分岐スライダと、を有する
請求項１に記載の硬貨入出金装置。
【請求項３】
前記返却先は、自装置前面に開口を有し、
前記切替部は、前記開口を塞ぐ前板を有し前記開口に着脱自在の引出し型部材を備え、
前記ガイド面が前記引出し型部材に設けられている
請求項２に記載の硬貨入出金装置。
【請求項４】
前記切替部は、被検知部を備え、
前記被検知部の有無を検知する検知部と、前記検知部の検知に応じて入出金に付随する処理を変更する対応処理部と、をさらに備える
請求項１〜３のいずれか１つに記載の硬貨入出金装置。
【請求項５】
前記戻し駆動部は、ベルトコンベヤ型である
請求項１〜４のいずれか１つに記載の硬貨入出金装置。
【発明の詳細な説明】
【技術分野】
【０００１】
本発明の実施形態は、硬貨入出金装置に関する。
【背景技術】
【０００２】
従来の硬貨入出金装置は、入金に際して金種や正常な硬貨であるかなどを判別し、異常な硬貨や変形などにより機械的な判別が困難である硬貨をリジェクト硬貨として戻す。リジェクト硬貨は、返却口や引出しなどの専用口、或いは釣銭受皿へと戻される。
【発明の概要】
【発明が解決しようとする課題】
【０００３】
硬貨入出金装置の使用者は概ね店員であるが、セルフレジの場合には客が使用者となる。また、店員が硬貨入出金装置を取り扱うキャッシュレーンでは処理の速さが重視されるが、セルフレジの場合には、操作の容易さが重要である。これらの違いにより、キャッシュレーンとセルフレジとでは、硬貨入出金装置の処理に違う部分がある。具体例としては、リジェクト硬貨を戻したときの処理の違いがある。セルフレジの硬貨入出金装置は、リジェクト硬貨を客に戻して、代わりの硬貨の入金を求める。これに対し、キャッシュレーンの硬貨入出金装置は、店員が入力する金額に基づいて釣銭を出金する。この場合のリジェクト硬貨は専用口に出され、店員によって代わりの硬貨に交換、入金される。
【０００４】
店員が使用者であるキャッシュレーンでは、リジェクト硬貨の戻し先を釣銭受皿にすると、リジェクト硬貨を取り除くまで釣銭の払い出しに処理を進めることができなくなる。よって、硬貨の戻し先は専用口とする方が都合がよい。
これに対して、客が使用者であるセルフレジの場合には、操作に不慣れな客がリジェクト硬貨に気づかなかったり取り忘れたりすることがないように、リジェクト硬貨の戻し先を釣銭受皿とした方が都合がよい。
このように、従来、硬貨入出金装置のリジェクト硬貨の戻し先の適否は、想定使用者によって異なる。
【課題を解決するための手段】
【０００５】
実施形態の硬貨入出金装置は、搬送路と、判別部と、リジェクト部と、返却先、戻し搬送路と、戻し駆動部と、払出先と、切替部と、を備える。搬送路は、入金され収納部へ送られる硬貨の通路である。判別部は、搬送路に設けられて硬貨の正否または金種を判別する。リジェクト部は、判別部の判別に応じて選択的に硬貨を搬送路から除く。返却先は、リジェクト部が除いた硬貨が戻される先である。戻し搬送路は、搬送路における判別部の下流側で分岐して返却先に通じる。戻し駆動部は、戻し搬送路の硬貨を返却先へ送る。払出先は、搬送路を経由して収納部に収納された硬貨が払い出される先である。切替部は、戻し搬送路に着脱自在に設けられ、戻し駆動部により送られる硬貨の移動方向を変更し該硬貨を払出先へ導く。
【図面の簡単な説明】
【０００６】
【図１】図１は、実施形態の釣銭機の外観を示す斜視図である。
【図２】図２は、実施形態の釣銭機の外観を示す斜視図である。
【図３】図３は、実施形態の戻し搬送路およびその周辺部材の外観を示す斜視図である。
【図４】図４は、実施形態の切替部材の外観を示す斜視図である。
【図５】図５は、実施形態の切替部材とその周囲との位置関係を示す平面図である。
【図６】図６は、実施形態の釣銭機が備える制御部と各部との電気的接続を示すブロック図である。
【発明を実施するための形態】
【０００７】
実施形態について図面を用いて説明する。図１および図２は、釣銭機１の外観を示す斜視図であって、図１は右角を手前にしたもの、図２は左角を手前にしたものである。釣銭機１は、硬貨入出金装置の一例である。
【０００８】
釣銭機１は、奥行が長い直方体の筐体２を備え、筐体２の上面の手前側の右側に入金口３を、筐体２の前面左側に出金口４を、筐体２の前面右側にリジェクト口５を、備えている。入金口３は、筐体２内へ入れる硬貨を受け入れる口である。出金口４は、筐体２外へ出す硬貨すなわち釣銭を払い出す口である。リジェクト口５は、返却先の一例であって、筐体２外へ通じる開口を有する。
【０００９】
釣銭機１は、さらに、出金口４の下から手前に突出した受皿６と、筐体２内に収納部（不図示）とを備えている。受皿６は、出金口４が払い出した釣銭を受け止める。該受皿６は、払出先の一例である。収納部は、入金口３が受け入れた硬貨を収納する。
【００１０】
図３は、戻し搬送路１２（後述）およびその周辺部材の外観を示す斜視図である。釣銭機１は、上記構成に加えてさらに、搬送面７、硬貨センサ８、リジェクト部９、およびベルトコンベヤ１０を備えている。
【００１１】
搬送面７は、板金材の表面であり、入金口３から収納部までの硬貨の通路である搬送路１１の底となる。搬送面７の上には、エンドレスベルト（不図示）が硬貨搬送方向に沿って延在している。エンドレスベルトは、搬送モータ４３（図６、後述）によって回転駆動されて搬送面７上の硬貨を運搬する。硬貨センサ８は、判別部の一例であって、硬貨の正否や金種を判別する。
【００１２】
リジェクト部９は、落下孔９１と、開閉蓋９２と、ソレノイド９３とを備える。リジェクト部９は、選択的にソレノイド９３を駆動させて開閉蓋９２を動かし、落下孔９１を開閉する。これにより、リジェクト部９は、硬貨センサ８が正常でないとした硬貨や金種が判別できなかった硬貨を、落下孔９１から落下させて搬送路１１から除く。
【００１３】
ベルトコンベヤ１０は、戻し駆動部の一例であって、戻し搬送路１２の底となる。戻し搬送路１２は、リジェクト部９からリジェクト口５までの硬貨の通路であって、搬送路１１における硬貨センサ８の下流側で分岐してリジェクト口５に通じている。ベルトコンベヤ１０は、戻しモータ４４（図６、後述）によって回転駆動されて硬貨を運搬する。
【００１４】
ここで、図３では、ベルトコンベヤ１０を、一本のエンドレスベルト１０ａを一対のローラ１０ｂ、１０ｃに掛け渡したものとして図示しているが、実施にあたっては、例えば２つのベルトコンベヤが連なって戻し駆動部を実現していてもよいし、さらには、ベルトコンベヤ以外の駆動機構で戻し駆動部を実現していてもよい。
【００１５】
釣銭機１はさらに、切替部材２０を備えている。図４は、切替部材２０の外観を示す斜視図である。図５は、切替部材２０とその周囲との位置関係を示す平面図である。切替部材２０は、リジェクト口５に差し込まれることにより着脱自在に取り付けられる引出し型の部材であって、リジェクト硬貨の戻し先を変更する。
【００１６】
切替部材２０の前面は、リジェクト口５に差し込まれたときにリジェクト口５を塞ぐ前板２１となっている。前板２１には、引き出す際に把持する引手２２が設けられている。前板２１の裏面には、奥へ伸びた板状の部材であってベルトコンベヤ１０上に乗るガイド板２３が取り付けられている。
【００１７】
ガイド板２３の奥側は、ガイド面２４となっている。ガイド面２４は戻し搬送路１２を斜めに横切る曲面である。ガイド面２４は、受皿６に近い方の端部が手前、遠い方の端部が奥となるよう、搬送路１２を斜めに横切っている。
【００１８】
ベルトコンベヤ１０上の硬貨は、ガイド面２４に突き当たりガイド面２４に沿って移動する。これにより、ベルトコンベヤ１０上の硬貨の移動方向は変更され、受皿６へと向かって曲げられる。ガイド面２４は、硬貨を分岐スライダ１３へ導く。分岐スライダ１３は、ガイド面２４の下流側から受皿６までの硬貨の通路であって、戻し搬送路１２から分岐して受皿６に通じている。分岐スライダ１３は、受皿６側に向かって硬貨が滑り降りるように下っている。
【００１９】
ここで、分岐スライダ１３および切替部材２０により、切替部（一例）が実現される。
【００２０】
ガイド面２４の上流側端部近くのガイド板２３の側面には、切り欠２５が設けられている。切替部材２０がリジェクト口５内に収まった状態で、切り欠２５に、筐体２内のベルトコンベヤ１０近傍に設けられた係合部（不図示）が、弾性的に嵌まり込む。これにより、切替部材２０が振動などによりリジェクト口５から脱落することが防止される。
【００２１】
切替部材２０は、ガイド板２３の手前側に、被検知片２６を備えている。被検知片２６は、被検知部の一例である。被検知片２６は、小さな板状の部材で、ガイド板２３上に立てて設けられる。一方、リジェクト口５の上方には、図３に示すように、被検知片２６を検知する検知部３０が設けられている。検知部３０は、一例としては光センサであって、スリット３１内の被検知片２６の有無を検知し、被検知片２６の有無に応じた信号を、制御部４０（図６、後述）に出力する。
【００２２】
図６は、釣銭機１が備える制御部４０と各部との電気的接続を示すブロック図である。釣銭機１は、上記構成に加えてさらに、制御部４０と対応処理部４１と表示部４２とを備える。表示部４２は、例えば液晶パネルであって、使用者への各種メッセージを表示する。
【００２３】
制御部４０は、不図示のＣＰＵと、ＲＡＭと、ＲＯＭやＨＤＤなどの記憶手段とを備え、ＣＰＵが記憶手段に記憶されたプログラムをＲＡＭに読み出して実行することにより、上記各部（硬貨センサ８、表示部４２、搬送モータ４３、戻しモータ４４、およびソレノイド９３）を統括制御する。また、制御部４０は、プログラムを実行することにより、対応処理部４１の一例として機能する。
【００２４】
対応処理部４１は、検知部３０から入力された信号に応じて被検知片２６の有無、すなわち切替部材２０がリジェクト口５内にあるか否かを判断する。そしてこの判断結果に応じて、対応処理部４１は、入出金に付随する処理を変更する。入出金に付随する処理の例としては、表示部４２へのメッセージ表示がある。対応処理部４１は、リジェクトに際して表示部４２に表示するメッセージの内容を変更する。
【００２５】
例えば、使用者が客であるセルフレジの場合には、切替部材２０を用い、リジェクト硬貨の戻し先を受皿６にするので、表示部４２には、「釣銭受皿に認識できない硬貨を返却しました。代わりの硬貨を入金してください。」などと表示させ、操作に不慣れな客がリジェクト硬貨を釣銭と勘違いしないようにする。また、使用者が店員であるキャッシュレーンの場合には、切替部材２０を用いず、リジェクト硬貨をリジェクト口５に戻すので、表示部４２には、簡潔に「リジェクト有」などと表示させ、リジェクト硬貨の後処理が必要であることを店員に示す。
【００２６】
このような構成の釣銭機１において、硬貨は、入金口３から投入されると、搬送路１１を通って収納部に収納され、出金口４から受皿６に払い出される。また、硬貨は、搬送路１１で、硬貨センサ８による判別で異常があった硬貨はリジェクト硬貨として戻される。リジェクト硬貨は、リジェクト口５が開放されていればリジェクト口５に戻され、リジェクト口５が切替部材２０で閉塞されていれば受皿６に戻される。表示部４２には、リジェクト先に応じたメッセージが表示される。該メッセージにより、使用者に、リジェクト硬貨の認識を促す。
【００２７】
このように、本実施形態によれば、切替部材２０をリジェクト口５に取り付けるか否かによって、リジェクト硬貨の戻し先を変更することができる。
【００２８】
なお、被検知部および検知部は、上記実施形態に限らず、検知部が被検知部の有無を検知することにより切替部材２０がリジェクト口５に取り付けられているか否かを判別できればよい。
また、本実施形態では触れていないが、リジェクト口５に蓋を設けてもよい。この蓋の形態としては、例えば、リジェクト口５を塞ぐ方形の板材の上辺を、リジェクト口５内上部に回動自在に取り付ける。この取付位置は、リジェクト口５に切替部材２０を差し込んだ場合に、蓋がはねあがって切替部材２０に引っかからない位置とするのが好適である。
さらに、本実施形態では、払出先を受皿６としているが、実施にあたっては、払出先は、切替部によって戻し搬送路上の硬貨の移動方向を変更することにより導くことができる位置であればよく、受皿でなくともよい。
そして、本実施形態では、切替部を切替部材２０および分岐スライダ１３により実現しているが、実施にあたっては、この形態に限定されるものではなく、切替部材２０や分岐スライダ１３の形状も実施形態のものに限定されない。
【００２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１…釣銭機、２…筐体、３…入金口、４…出金口、５…リジェクト口、６…受皿、
７…搬送面、８…硬貨センサ、９…リジェクト部、１０…ベルトコンベヤ、
９１…落下孔、９２…開閉蓋、９３…ソレノイド、
１１…搬送路、１２…戻し搬送路、１３…分岐スライダ、
２０…切替部材、２４…ガイド面、２５…切り欠、２６…被検知片、
３０…検知部、３１…スリット、
４０…制御部、４１…対応処理部、４２…表示部。
【先行技術文献】
【特許文献】
【００３１】
【特許文献１】特許第４７８６９６６号公報
【特許文献２】特開２００７−２７９９０８号公報
【特許文献３】特許第５０２１７０３号公報
【図１】
2014174561.tif 000003
【図２】
2014174561.tif 000004
【図３】
2014174561.tif 000005
【図４】
2014174561.tif 000006
【図５】
2014174561.tif 000007
【図６】
2014174561.tif 000008